(57)【要約】【課題】イオン整水器などの電解処理装置において、電解イオン水の用途の表示を用途別に分け、該用途別の表示をさらに細分化して表示することにより、使用者にわかりやすい表示にすることにある。【解決手段】電解槽に電圧を印加して該電解槽に供給した水から電解イオン水を複数種生成するイオン整水器において、電解イオン水の用途の表示を用途別に分け、該用途別の表示をさらに細分化して表示することを特徴とする。【選択図】図１
2006223940.tif 000002
【特許請求の範囲】
【請求項１】
電解槽に電圧を印加して該電解槽に供給した水から電解イオン水を複数種生成するイオン整水器において、電解イオン水の表示を用途別に分け、該用途別の表示をさらに細分化して表示することを特徴とするイオン整水器。
【請求項２】
用途別に分けた表示に対応した選択手段を用途別それぞれに少なくとも１つ配設することを特徴とする請求項１に記載のイオン整水器。
【請求項３】
用途別の表示または用途別の表示に対応した選択手段を一方向に配設することを特徴とする請求項１または２に記載のイオン整水器。
【請求項４】
各用途別の表示を細分化した表示を用途別の表示の配設列方向とは異なる列方向に連なって表示することを特徴とする請求項１ないし３のいずれかに記載のイオン整水器。
【請求項５】
細分化した表示一つ一つに対応した選択手段を配設することを特徴とする請求項１ないし４のいずれかに記載のイオン整水器。
【請求項６】
用途別の表示を、健康を連想できるもの、料理を連想できるもの、美容を連想できるもの、洗浄を連想できるものに分けることを特徴とする請求項１ないし５のいずれかに記載のイオン整水器。
【発明の詳細な説明】
【技術分野】
【０００１】
本発明は、イオン整水器などの電解処理装置における取水されるべき電解イオン水の表示に関するものである。
【背景技術】
【０００２】
本発明に係る電解処理装置として、例えば、特許文献１が開示されている。特許文献１には、設定ボタンが、アルカリ水、酸性水、浄水といった電解の度合い別に分かれており、該設定ボタンを選択することによって、所望の水を得ることができるようになっているアルカリイオン整水器が記載されている。
【０００３】
【特許文献１】特開平９−２２５４６２号公報
【発明の開示】
【発明が解決しようとする課題】
【０００４】
しかし、従来のイオン整水器においては、取水されるべき電解イオン水の表示は、アルカリ性や酸性といった水の性質、つまり、ｐＨ（ペーハー）の度合いを基に分けられているので、適用例は併記されてはいるものの、用途別にまとめられていないため、使用者にとってわかりづらいものであった。
【０００５】
本発明の目的は、イオン整水器などの電解処理装置において、電解イオン水の表示を用途別に分け、該用途別の表示をさらに細分化して表示することにより、使用者にわかりやすい表示にすることにある。
【課題を解決するための手段】
【０００６】
本発明は、電解槽に電圧を印加して該電解槽に供給した水から電解イオン水を複数種生成するイオン整水器において、電解イオン水の表示を用途別に分け、該用途別の表示をさらに細分化して表示することを特徴とする。
【０００７】
また、用途別に分けた表示に対応した選択手段を用途別それぞれに少なくとも１つ配設することを特徴とする。
【０００８】
また、用途別の表示または用途別の表示に対応した選択手段を一方向に配設することを特徴とする。
【０００９】
また、各用途別の表示を細分化した表示を用途別の表示の配設列方向とは異なる列方向に連なって表示することを特徴とする。
【００１０】
また、細分化した表示一つ一つに対応した選択手段を配設することを特徴とする。
【００１１】
また、用途別の表示を、健康を連想できるもの、料理を連想できるもの、美容を連想できるもの、洗浄を連想できるものに分けることを特徴とする。
【発明の効果】
【００１２】
本発明においては、電解イオン水の表示を用途別に分け、該用途別の表示をさらに細分化して表示することによって、使用者にわかりやすい表示とすることができる。
【００１３】
また、用途別に分けた表示に対応した選択手段を用途別それぞれに少なくとも１つ配設することによって、電解イオン水を用途別に選択しやすくなる。
【００１４】
また、用途別の表示または用途別の表示に対応した選択手段を一方向に配設することによって、用途別に分けられていることがより明確になるとともに、よりわかりやすい表示となる。
【００１５】
また、各用途別の表示を細分化した表示を用途別の表示の配設列方向とは異なる列方向に連なって表示することによって、使用者は先ずは大まかに分かれている用途別の表示の中から使用者の用途に合った表示を見つけ、あとは用途別の表示から細分化した表示が用途別の表示の配設列方向とは異なる列方向に連なって表示されているので、表示全てが同じ方向に配設されて表示がわかりにくくなるということがなく、使用者により見やすい表示にすることができる。
【００１６】
さらに、細分化した表示一つ一つに対応した選択手段を配設することによって、細分化した表示を直接目で確認し、そのまま表示一つ一つに対応した選択手段を選択できるので、使用者は細分化した表示に合った水を容易に得ることができる。
【００１７】
また、用途別の表示を、健康を連想できるもの、料理を連想できるもの、美容を連想できるもの、洗浄を連想できるものに分けることによって、使用者は生活シーンに合った水の選択がより容易となる。
【発明を実施するための最良の形態】
【００１８】
（第１実施形態）
本発明に係るイオン整水器の第１実施形態について図１ないし図８に基づき説明する。図１は本実施形態に係るイオン整水器の全体斜視図、図２は本実施形態に係るイオン整水器の正面図、図３は本実施形態に係るイオン整水器の全体構成ブロック図、図４は本実施形態に係るイオン整水器の生成モードと生成される水の適用例との対応図、図５は本実施形態に係るイオン整水器のアルカリ水生成モードにおける状態変移図、図６は本実施形態に係るイオン整水器の浄水モードにおける状態変移図、図７は本実施形態に係るイオン整水器の酸性水生成モードにおける状態変移図、図８は本実施形態に係るイオン整水器の衛生水生成モードにおける状態変移図である。
【００１９】
図１および図２に示すように、健康を連想できる、例えば、「健康」という文字から成る健康表示部９１ａ、料理を連想できる、例えば、「料理」という文字から成る料理表示部９１ｂ、美容を連想できる、例えば、「美容」という文字から成る美容表示部９１ｃ、洗浄を連想できる、例えば、「洗浄」という文字から成る洗浄表示部９１ｄの４つの用途別表示部が縦一列に配設されており、各表示部には健康選択スイッチ９１ａ’、料理選択スイッチ９１ｂ’、美容選択スイッチ９１ｃ’、洗浄選択スイッチ９１ｄ’の用途別選択スイッチが近接して配設されている。そして、健康表示部９１ａには細分化表示部があり、細分化表示部には飲み始め表示部９２ａ、慣れてきたら表示部９２ｂ、日常飲用表示部９２ｃ、薬表示部９２ｄといった健康という用途に合った適用例が横一列に連なって表示されている。同様に、用途別表示部それぞれには細分化表示部があり、細分化表示部にはそれぞれの用途に合った適用例が横一列に連なって表示されている。本実施形態のイオン整水器は、健康選択スイッチ９１ａ’、料理選択スイッチ９１ｂ’、美容選択スイッチ９１ｃ’、洗浄選択スイッチ９１ｄ’の４つの用途別選択スイッチによって使用者は適用例に合った電解イオン水を得ることができる。また、用途別選択スイッチを選択するごとに各選択スイッチに対応した細分化表示部が順に表示されるようになっており、例えば、健康表示部９１ａにおいては、健康選択スイッチ９１ａ’を選択するごとに飲み始め表示部９２ａ、慣れてきたら表示部９２ｂ、日常飲用表示部９２ｃ、薬表示部９２ｄが順に表示されるようになっている。また、全ての表示部はＬＥＤランプにより点灯自在となっており、使用者に現在どの適用例に合った水が選択されているかがランプの点灯によってわかるようになっている。なお、用途別の分け方は４つとは限らず、それ以上でもそれ以下でも良い。また、用途別表示部は文字から成るものとは限らず、絵、図、アイコン、シンボルマークなどから成るものでも良く、さらには、大きさ、色、形を異ならせたものや用途別表示部がなしといった用途を何も連想できないものでも他との識別が可能であれば良い。
【００２０】
前記図３に示すように本実施形態に係るイオン整水器は、本体ケース１内に、第１の電極板１１とこの第１の電極板１１を挟み込むように位置する２つの電極板（第２の電極板１２、第３の電極板１３）を有する電解槽１０を備える。この電解槽１０は、第１の電極板１１と第２の電極板１２との間、および、第１の電極板１１と第３の電極板１３との間にそれぞれ隔壁１４を有し、これら電極板１１、１２、１３、隔壁１４により４つの電解室１５、１６、１７、１８を構成し、それぞれ、第１の電解室１５、第２の電解室１６、第３の電解室１７、第４の電解室１８とする。第２の電極板１２と第３の電極板１３は、電源部６１からの供給を受け、陰極板または陽極板となり、同一極の電極板となる。一方、第１の電極板１１は、第２の電極板１２と第３の電極板１３の極とは逆の極となって、すなわち、第２の電極板１２と第３の電極板１３が陰極板となっている場合には陽極板となり、逆に、第２の電極板１２と第３の電極板１３が陽極板となっている場合には陰極板となる。各電解室１５、１６、１７、１８には水の流入口と流出口が設けられており、流出口は補助電解槽２０への補助電解槽水路８１が接続されている。第１の電解室１５と第４の電解室１８の補助電解槽水路８１は合流し１つの補助電解槽水路８１となって補助電解槽２０の第２の補助電解室２５の流入口と接続し、同様に、第２の電解室１６と第３の電解室１７の補助電解槽水路８１は合流し１つの補助電解槽水路８１となって補助電解槽２０の第１の補助電解室２４の流入口と接続する。
【００２１】
補助電解槽２０は、第１の補助電極板２１、第２の補助電極板２２および隔壁２３からなり、電解槽１０を通水してきた水を再び電解することができ、ここでの電解は活性水素量を増加させるために行う。この補助電解槽２０の第１の補助電解室２４の流出口は排出水路８２と接続しており、かかる排出水路８２上には排出口６２近辺に電磁弁６３が配設されている。他方、補助電解槽２０の第２の補助電解室２５の流出口は吐水水路８７と接続しこの吐水水路８７の先端が電解水吐水口６４となっている。
【００２２】
第１の電解室１５、第２の電解室１６、第３の電解室１７および第４の電解室１８の流入口にはそれぞれ電解槽水路８３が接続されているが、この電解槽水路８３は手前で合流している。この合流した電解槽水路８３は一方が排出水路８２と逆止弁６５を介して接続している。
【００２３】
前記電解槽１０は、水道管６６から水道蛇口６７を介して水の供給を受けるわけであるが、水道蛇口６７には分岐栓６８が配設され、かかる分岐栓６８に給水ホース６９の一方が接続し、給水ホース６９の他方が下浄水カートリッジ３１の流入口と接続されている。原水は分岐栓６８から得られるようになっている。下浄水カートリッジ３１は、主に活性炭が充填してある。下浄水カートリッジ３１の流出口は上浄水カートリッジ水路８４を介して上浄水カートリッジ３２の流入口と接続している。上浄水カートリッジ３２は、金属メッシュや布材、ろ紙などの比較的粗いフィルター以外に中空糸膜のような雑菌等まで除去可能なろ過手段である。上浄水カートリッジ３２の流出口は流量センサー水路８５を介して流量センサー５１の流入口と接続している。流量センサー５１は、流水量を測定可能に構成され、例えば、流量センサー５１中央部にプロペラを設け、かかるプロペラの回転数により流水量を測定するものである。流量センサー５１の流出口は、水路切替水路８６の一方と接続し、水路切替水路８６の他方が水路切替５２の流入口と接続している。水路切替５２は、流入口１つに対し、流出口を２つ持ち、一方の流出口が水路を介して食塩添加筒４１と接続し、他方の流出口が水路を介してカルシウム添加筒４２と接続し、切替を操作することで、流入口と一方の流出口が流通可能状態となる。食塩添加筒４１には、電解槽１０で水を強酸性にするために食塩（ＮａＣｌ）を添加可能に備えてある。他方、カルシウム添加筒４２には、流入口から流入してくる水にカルシウムを添加可能に備えてある。食塩添加筒４１の流出口に接続されている水路とカルシウム添加筒４２に接続されている水路は合流しており、合流前の食塩添加筒４１の流出口に接続されている水路上に逆止弁７０が設けられている。
【００２４】
イオン整水器は既に説明したイオン整水器の構成要素の一部を各種制御する制御回路５０も備えている。かかる制御回路５０は制御するため、流量センサー５１、水路切替５２に備えてある強酸性検知スイッチ５３、第１の電極板１１、第２の電極板１２、第３の電極板１３、第１の補助電極板２１、第２の補助電極板２２、電磁弁７１と電気的に接続している。流量センサー５１は、検出した電気信号を制御回路５０に出力し、制御回路５０は流量センサーから電気信号により通水量を計算する。強酸性検知スイッチ５３は、手動または自動で切替可能な水路切替５２が現在の切替状態を制御回路５０に電器信号として出力する。第１の電極板１１、第２の電極板１２、第３の電極板１３、第１の補助電極板２１および第２の補助電極板２２は、制御回路５０と間接的に接続され、制御回路５０が使用者のパネル操作により与えられた制御信号に基づき特定の電極板１１、１２、１３、２１、２２に電圧印加を行う。したがって、第１の電極板１１、第２の電極板１２、第３の電極板１３、第１の補助電極板２１および第２の補助電極板２２は、電源部６１と電気的に接続され、制御回路５０はかかる電源回路からの電気の供給を制御している。
【００２５】
図１に示すように、操作部９０が本イオン整水器の前面側に配設されている。また、図２に示すように、使用者が操作可能なスイッチとして、用途別選択スイッチ、電源スイッチ９３、ＯＲＰ表示スイッチ９４、通水量表示スイッチ９５がある。本実施形態では、用途別選択スイッチは、健康選択スイッチ９１ａ’、料理選択スイッチ９１ｂ’、美容選択スイッチ９１ｃ’、洗浄選択スイッチ９１ｄ’から成る。また、上浄水カートリッジ交換時期ランプ９７ａ、下浄水カートリッジ交換時期ランプ９７ｂ、寿命設定上スイッチ９７ｃ、寿命設定下スイッチ９７ｄ、リセットスイッチ９７ｅも有する。また、現在有効となっている用途別表示部や細分化表示部に対応する表示、ペーハー（ｐＨ）、ＯＲＰ、通水量などの情報を表示する、例えば、７セグメントＬＥＤから成るディスプレイ９６をも備える。ディスプレイ９６には、洗浄状態の時に点灯し洗浄完了後に排水を継続して行っている時も点灯する洗浄中ランプ９６ａ、すすぎ状態の時に点灯するすすぎランプ９６ｂ、電解槽１０内の温度異常が生じた場合に点灯する温度異常ランプ９６ｃが配設されている。電源スイッチ９３は、本イオン整水器を起動させるためのスイッチであり、どのような状態であっても有効なスイッチである。電源スイッチ９３を選択しても、排水処理など処理が途中であるものが終了していない場合は、それらの処理が終了して電源が落ちるようにすることが好ましい。ＯＲＰ表示スイッチ９４は、ディスプレイ９６に現在の水のＯＲＰを表示させるためのスイッチである。通水量表示スイッチ９５は、ディスプレイ９６に現在の水の通水量を表示させるためのスイッチである。
【００２６】
健康選択スイッチ９１ａ’は、本イオン整水器に「飲み始め」、「慣れてきたら」、「日常飲用」、「薬」といった健康に関する水の生成を指示するためのスイッチである。「飲み始め」は、例えば、ペーハー（ｐＨ）値８．５程度に相当する水を生成しようと制御中に表示される表示部であり、「慣れてきたら」は、例えば、ペーハー（ｐＨ）値９．０程度に相当する水を生成しようと制御中に表示される表示部であり、「日常飲用」は、例えば、ペーハー（ｐＨ）値９．５程度に相当する水を生成しようと制御中に表示される表示部であり、「薬」は、実質的に電解されていないきれいで中性の水を生成しようと制御中に表示される表示部である。料理選択スイッチ９１ｂ’は、本イオン整水器に「炊飯」、「煮物」、「アク抜き」、「野菜ゆで」、「麺ゆで」、「お茶」、「ミルク」といった料理に関する水の生成を指示するためのスイッチである。「炊飯」、「お茶」は、例えば、ペーハー（ｐＨ）値９．０程度に相当する水を生成しようと制御中に表示される表示部であり、「煮物」、「アク抜き」、「野菜ゆで」は、例えば、ペーハー（ｐＨ）値１０．５程度に相当する水を生成しようと制御中に表示される表示部であり、「麺ゆで」は、例えば、ペーハー（ｐＨ）値５．５程度に相当する水を生成しようと制御中に表示される表示部であり、「ミルク」は、実質的に電解されていないきれいで中性の水を生成しようと制御中に表示される表示部である。美容選択スイッチ９１ｃ’は、本イオン整水器に「洗顔」といった美容に関する水の生成を指示するためのスイッチである。「洗顔」は、例えば、ペーハー（ｐＨ）値５．５程度に相当する水を生成しようと制御中に表示される表示部である。洗浄選択スイッチ９１ｄ’は、「洗い物」、「除菌」、「殺菌」といった洗浄に関する水の生成を指示するためのスイッチである。「洗い物」は、例えば、ペーハー（ｐＨ）値３．０程度に相当する水を生成しようと制御中に表示される表示部であり、「除菌」、「殺菌」は、例えば、ペーハー（ｐＨ）値２．５程度に相当する水を生成しようと制御中に表示される表示部である。上記からわかるように、例えば、ｐＨ（ペーハー）値９．０に相当する水を「慣れてきたら」、「お茶」、「炊飯」と複数に適用させても良いし、適用例一つ一つでｐＨ（ペーハー）値を異ならせても良い。なお、上記ｐＨ（ペーハー）値は正確な数値にこだわるものではなく、制御の度合いを示しているものである。
【００２７】
既に、各スイッチで説明した通り、本イオン整水器においては、大きく分けて、アルカリ水を供給するアルカリ水生成モード、浄水を供給する浄水モード、酸性水を供給する酸性水生成モード、衛生水を供給する衛生水生成モードの４つの生成モードがある。そして、アルカリ水生成モードには、アルカリ性の強い順に、強アルカリ水生成モード、第１レベルのアルカリ水生成モード、第２レベルのアルカリ水生成モード、第３レベルのアルカリ水生成モードがある。アルカリ水生成モードでは、前記電磁弁６３が開いた状態で、制御回路５０の制御により第２の電極板１２および第３の電極板１３を陰極板とし、第１の電極板１１を陽極板とする。各レベルのアルカリ水生成モードでは、印加する電圧が異なり、強アルカリ水生成モード、第１レベルのアルカリ水生成モード、第２レベルのアルカリ水生成モード、第３レベルのアルカリ水生成モードの順に相対的に高い電圧が印加される。なお、強アルカリ水の生成は、第１レベルのアルカリ水の生成より電解強度を上げることで生成することが可能だが、手動もしくは電磁弁７１で流量制限部７２側へ分岐させて水路をしぼることでも生成することが可能である。浄水モードでは、電磁弁６３を閉じた状態で、どの電極板１１、１２、１３にも電圧を印加せず、すなわち、電解しない。ここで、電磁弁６３を閉じることで、無駄な水が排出口６３から排出されることがなくなる。酸性水生成モードでは、前記アルカリ水生成モードとは逆で、制御回路５０の制御により第２の電極板１２および第３の電極板１３を陽極板とし、第１の電極板１１を陰極板とする。弱酸性水生成モードは、第３レベルのアルカリ水生成モードの電解強度の逆電解に、強酸性水生成モードは、強アルカリ水生成モードの電解強度の逆電解に相当する。なお、強酸性水の生成は、弱酸性水の生成より電解強度を上げることで生成することが可能だが、手動もしくは電磁弁７１で流量制限部７２側へ分岐させて水路をしぼることでも生成することが可能である。衛生水生成モードでは、前記酸性水生成モードと同様に、制御回路５０の制御により第２の電極板１２および第３の電極板１３を陽極板とし、第１の電極板１１を陰極板とすると共に、電解作用を促進させるＮａＣｌなどを用いて電解する。なお、衛生水の生成は、第１レベルの強酸性水の生成より電解強度を上げることで生成することが可能だが、手動もしくは電磁弁７１で流量制限部７２側へ分岐させて水路をしぼることでも生成することが可能である。なお、本実施形態においては、上記生成モードと生成される水の適用例との対応は、図４のように一つのモードに対して複数の適用例を対応させることで構成を簡略化することができるが、適用例一つ一つに対応する専用の生成モードを設けても良い。
【００２８】
以上の生成モードを生成状態とすると、本イオン整水器には他の状態が存在し、電源が投入されていないパワーオフ状態、待機状態、排水状態、捨て水状態、洗浄状態、生成停止状態、リトライ状態、すすぎ状態がある。これらの状態について、各状態への移行と合わせて図５ないし図８に基づき以下説明する。
【００２９】
パワーオフ状態から、操作部９０の電源スイッチ９３を選択し、本イオン整水器を起動させた状態が待機状態である。待機状態は、通水が行われておらず（流量センサーが検出できないレベルでの通水は除く）、電磁弁６３が閉じた状態である。電磁弁６３が開く必要があるのは、通常であれば、イオン水を生成している場合に、使用しない極性のイオン水を排水するためであり、イオン水を生成していない待機状態では電磁弁６３を開いておく必要がないため、閉じた状態としている。待機状態からパワーオフになった場合は電磁弁６３が閉じた状態となっており、パワーオフ状態であっても排出口６２から水が無駄に排出されることがない。待機状態で、所定以上の通水量の通水が行われない場合には、電磁弁６３を開いた状態であって滞留水を排水する排水状態に移行する。これは、他の状態から待機状態に移行してきた場合に、添加筒４１、４２、電解槽１０、補助電解槽２０および各水路に水が滞留しているとき、時間経過と共に、滞留水のバイ菌、細菌等が増殖することを防止するためである。したがって、待機状態から排水状態への移行、排水完了後所定時間経過後の待機状態への復帰は、所定時間毎に行われ、バイ菌、細菌等の増殖の温床となる滞留水の排水を図る。パワーオフ状態、待機状態、排水状態までの移行は、現在選択されている生成モードに依らず、同じである。他の状態への移行は現在選択されている生成モードにより異なるため、以下生成モード毎、すなわち、アルカリ水生成モード、酸性水生成モード、浄水モード、衛生水生成モードそれぞれ順に説明する。
【００３０】
アルカリ水生成モードが選択されている場合においては、待機状態若しくは排水状態から通水がなされた場合には、電磁弁６３を開いて所定量若しくは所定時間滞留水を捨てる捨て水状態に移行する（以下、図５参照）。捨て水状態での捨て水が完了後、前記説明したアルカリ水生成モードの生成状態に移行する。アルカリ水生成モードの生成状態時に、電解槽１０内で過電流、過小電流となった場合に、電極板１１、１２、１３に電圧を印加することなくイオン水生成しないリトライ状態に移行する。リトライ状態では、まったく電極板１１、１２、１３に電圧を印加しないのではなくて、所定間隔で電極板１１、１２、１３に電圧を印加し、電解槽１０内で過電流、過小電流とならないかをトライアルする。そして、トライアルが成功した場合には生成状態に再び復帰する。ここで、生成状態で、電解槽１０内で過電流、過小電流となった場合には全て、リトライ状態に移行するのではなく、所定のリトライ条件を満たした場合にのみリトライ状態に移行する。というのは、リトライしても意味がないほどの異常の場合には、リトライすることにより修復不可能な状態になる可能性があるだけでなく、安全面から好ましくないからである。したがって、リトライ条件を満たさない場合に、または、アルカリ水生成モードの生成状態に移行してからの経過時間が所定時間経過した場合には、状態移行後所定期間経過後に電磁弁６３を閉じる生成停止の状態に移行する。電流異常、温度異常により生成停止の状態に移行した場合で、止水となれば、排水状態に移行する。アルカリ水生成モードの生成状態に移行してからの経過時間が所定時間経過したことにより生成停止の状態に移行した場合で、止水となれば、洗浄状態に移行する。洗浄状態には、生成状態で止水した場合であっても移行する。この洗浄状態では、電磁弁６３を閉じ、電圧の印加を逆電圧にし、アルカリ水生成モードの生成状態で陰極板となっていた第２の電極板１２と第３の電極板１３を陽極板とし、第１の電極板１１も陽極板から陰極板にし、所定期間電圧を印加する。こうすることで、電極板１１、１２、１３に付着したスケール等を除去し、次回のイオン水生成を円滑に行うことができる。ここで、逆止弁６３は通水時には水圧がかかって、排出水路８２方向へ水を流さないが、水圧がかかっていない止水された状態にあっては排出水路８２方向へ水を流してしまうため、電磁弁６３を閉じており、これにより、電解槽１０内を十分に水が充填された状態で洗浄することができる。洗浄状態での所定時間の電圧印加が完了した場合には、通常であれば、排水状態に移行し、通水となれば、排水状態に移行することなく捨て水状態に移行する。ここで、洗浄状態では、いわゆる逆電をおこなってスケール等を除去しているのであり、滞留水には不純物が含まれ、かかる不純物が含まれた滞留水を確実に排水すべく、排水状態または捨て水状態に移行している。
【００３１】
浄水モードが選択されている場合においては、待機状態若しくは排水状態から通水がなされた場合には、電磁弁６３を開いて所定量若しくは所定時間滞留水を捨てる捨て水状態に移行する（以下、図６参照）。捨て水状態での捨て水が完了後、水道管６６から各種水路を経て供給されてきた水を電解槽１０で実質的に電圧を印加することなく、電解水吐水口６４から吐水する前記説明した浄水モードの生成状態に移行する。この浄水モードの生成状態からは所定条件下で移行する状態はなく、単に、通水を止めて止水した場合には、排水状態に移行する。生成状態時に電磁弁６３が閉じているのは、排出口６２から水を無駄に排出しないためである。
【００３２】
酸性水モードが選択されている場合においては、待機状態若しくは排水状態から通水がなされた場合には、電磁弁６３を開いて所定量若しくは所定時間滞留水を捨てる捨て水状態に移行する（以下、図７参照）。捨て水状態での捨て水が完了後、酸性水生成モードの生成状態に移行する。酸性水生成モードの生成状態時に、電解槽１０内で過電流、過小電流となった場合に、電極板１１、１２、１３に電圧を印加することなくイオン水生成しないリトライ状態に移行する。リトライ状態では、まったく電極板１１、１２、１３に電圧を印加しないのではなくて、所定間隔で電極板に電圧を印加し、電解槽１０内で過電流、過小電流とならないかをトライアルする。そして、トライアルが成功した場合には生成状態に再び復帰する。ここで、生成状態で、電解槽１０内で過電流、過小電流となった場合には全て、リトライ状態に移行するのではなく、所定のリトライ条件を満たした場合にのみリトライ状態に移行する。リトライ条件を満たさない場合に、または、酸性水生成モードの生成状態に移行してからの経過時間が所定時間経過した場合には、状態移行後所定期間経過後に電磁弁６３を閉じる生成停止の状態に移行する。電流異常、温度異常により生成停止の状態に移行した場合で、止水となれば、排水状態に移行する。酸性水生成モードの生成状態に移行してからの経過時間が所定時間経過したことにより生成停止の状態に移行した場合で、止水となれば、洗浄状態に移行することなく、通常であれば、排水状態に移行し、通水となれば、排水状態に移行することなく捨て水状態に移行する。
【００３３】
衛生水モードが選択されている場合においては、待機状態若しくは排水状態から通水がなされた場合には、電磁弁６３を開いて所定量若しくは所定時間滞留水を捨てる捨て水状態に移行する（以下、図８参照）。捨て水状態での捨て水が完了後、衛生水生成モードの生成状態に移行する。衛生水生成モードの生成状態時に、電解槽１０内で過電流、過小電流となった場合に、電極板に電圧を印加することなくイオン水生成しないリトライ状態に移行する。リトライ状態では、まったく電極板１１、１２、１３に電圧を印加しないのではなくて、所定間隔で電極板１１、１２、１３に電圧を印加し、電解槽１０内で過電流、過小電流とならないかをトライアルする。そして、トライアルが成功した場合には生成状態に再び復帰する。ここで、生成状態で、電解槽１０内で過電流、過小電流となった場合には全て、リトライ状態に移行するのではなく、所定のリトライ条件を満たした場合にのみリトライ状態に移行する。リトライ条件を満たさない場合に、状態移行後所定期間経過後に電磁弁６３を閉じる生成停止の状態に移行する。衛生水生成モードの生成状態時には、通常の水を電解槽１０で電解するのに比べ水に食塩が混入しているために高い電流値となる。しかしながら、食塩添加筒の食塩が溶解しきってしまうと徐々に食塩の濃度が小さくなるため、電流値が小さくなる。使用者は、所望の量の衛生水を得るために必要に応じて食塩添加筒４１に食塩を入れて、動作させることとなる。したがって、食塩の濃度が小さくなるのは、本イオン整水器の予定するところである。よって、本装置は食塩の濃度が小さくなって所定の電流値となった場合に衛生水の生成を継続しつつも、生成状態（食塩なし）に移行する。また、衛生水生成モードの生成状態において、最初から所定の電圧を電極板に印加しても想定される電流値が得られない場合であっても、生成状態（食塩なし）に移行する。生成状態（食塩なし）とは、食塩添加筒４１に食塩がなく、電解槽１０中の水が所定濃度の食塩水となっておらず、円滑に電解が行われていないことを示し、所定時間経過後にすすぎに移行する。すすぎは、電磁弁６３を開いた状態で電極板１１、１２、１３、補助電極板２１、２２に電圧を印加することなく、水を通水する状態である。すすぎに移行した後、止水すれば排水状態に移行し、止水することなく通水状態が維持され所定期間が経過すれば生成停止の状態に移行する。５分経過である場合にもすすぎ状態に移行しているが、これは５分も経過していれば衛生水を全て生成していると推定できるところからなされたものであり、この５分は例示に過ぎず他の所定時間に変更しても構わず、また、この状態変移経路を削除した構成にもできる。
【００３４】
上記各モードにおいて、排水状態および洗浄状態の時に洗浄中ランプ９６ａが点灯し、すすぎ状態の時にすすぎランプ９６ｂが点灯し、使用者に注意を喚起する。また、これらランプの点灯だけでなく、使用者が洗浄状態および排水状態時に通水した場合には、警告音を所定期間鳴らし、洗浄中ランプ９６ａが点滅する。
【００３５】
前記各モードが選択されている場合の捨て水状態での捨て水は、一律に所定量、所定時間行われるわけではない。以下、捨て水制御について詳述する。制御回路５０は、待機状態または排水状態からそのまま生成状態に移行するのではなく、捨て水状態を介して生成状態に移行する。これは、最低限捨てることが好ましい滞留水を処理するためである。制御回路５０は、電源を投入して始めて通水した場合、または、止水から所定時間経過した場合には（ここでの所定時間とは、例えば、１５［分］ないし６０［分］であり、好ましくは４５［分］）、第１の通水量の捨て水を行い、止水から所定の時間が経過前の通水の場合に第２の通水量の捨て水を行う。このとき第１の通水量（例えば、８００［ｃｃ］ないし１１００［ｃｃ］、好ましくは１０００［ｃｃ］）が第２の通水量（例えば、４００［ｃｃ］ないし７００［ｃｃ］、好ましくは６００［ｃｃ］）より大きいこととする。このように所定時間経過前後により、捨て水の量を変えたのは、水の中で増殖するバイ菌、細菌は時間経過により一気に増殖をするために、一定時間内であれば、捨て水の量を減らし、一定時間内の場合の生成状態への移行を迅速に行い使用者の待ち時間を短くし、さらには、捨て水の量が減っていること自体により節水の目的も適う。
【００３６】
また、前記第１の通水量または第２の通水量の捨て水は、止水状態から供給状態への移行時に関するものであるが、あるモードのイオン水生成状態の供給状態から他のモードのイオン水生成状態の供給状態への変移である場合には、次のように制御回路５０は捨て水を制御する。つまり、制御回路５０は、酸性水生成モードの生成状態からアルカリ水生成モードの生成状態若しくは浄水モードの生成状態に移行する場合に、第３の通水量の捨て水を行い、アルカリ水生成モードの生成状態から酸性水生成モードの生成状態若しくは浄水モードの生成状態に移行する場合に、または、浄水モードの生成状態から酸性水生成モードの生成状態若しくはアルカリ生成の生成状態に移行する場合に、第４の通水量の捨て水を行う。このとき第３の通水量（例えば、４５０［ｃｃ］ないし７００［ｃｃ］、好ましくは６００［ｃｃ］）が第４の通水量（例えば、２００［ｃｃ］ないし３５０［ｃｃ］、好ましくは２５０［ｃｃ］）より大きいこととする。このように酸性水生成モードの生成状態からアルカリ水生成モードの生成状態若しくは浄水モードの生成状態に移行する場合と、アルカリ水生成モードの生成状態から酸性水生成モードの生成状態若しくは浄水モードの生成状態に移行する場合、または、浄水モードの生成状態から酸性水生成モードの生成状態若しくはアルカリ生成の生成状態に移行する場合とで、捨て水の量を変えたのは、酸性水の適用例は洗顔、洗い物などであるのに対し、アルカリ水の適用例はお茶、炊飯、飲み始めなどであり、直接人間が摂取するのはアルカリ性が好ましく、酸性水であるのは必ず避けなければならないからである。すなわち、アルカリ水生成モードの生成状態で電解水吐水口６４から吐水されるものは必ずアルカリ水でなければならず、一部が酸性水であることは許されないため、若干余裕をもった捨て水量となっているのに対し、酸性水生成モードの生成状態で電解水吐水口６４から吐水されるものも酸性水でなければならないが、余裕をもった捨て水量とするほどの必要性に乏しいため、おおよそアルカリ水が吐水されない程度の捨て水量とした。また、出来得る限り、捨て水を小さくすることで、捨て水状態への移行が早くなり、同時に節水も実現される。
【００３７】
また、衛生水に関し、衛生水生成モードから生成停止となった場合に、他のモードへの移行するために電解槽１０内の処理対象の水に混入する前記触媒の濃度を低減させる衛生水すすぎを行った後、次のモードに移行したときに、衛生水すすぎが完了していた場合に第５の通水量の捨て水を行い、衛生水すすぎが未完了であった場合に第６の通水量の捨て水を行う。このとき第６の通水量（例えば、少なくとも８００［ｃｃ］ないし１１００［ｃｃ］、好ましくは１０００［ｃｃ］）が第５の通水量（例えば、２００［ｃｃ］ないし３５０［ｃｃ］、好ましくは２５０［ｃｃ］）より大きいこととする。このように衛生水生成モードから生成停止となった場合に、衛生水すすぎを行った後、次のモードに移行したときに、衛生水すすぎが完了していた場合と、衛生水すすぎが未完了であった場合とで、捨て水量を変えたのは、衛生水は飲料用ではなく、飲料用ともなり得るアルカリ水、浄水にあっては、衛生水が混入されることは必ず避けなければならず、また、アルカリ水、浄水に限らず、酸性水であっても食塩が含まれた水を酸性水といえでも使用することは好ましくないため、確実にすすぎは完了していることが望ましいが、すすぎが完了する前に、止水されたことにより排水状態等に移行した場合にあってはすすぎが未完了の状態となっており、すすぎを完了させる必要があるが、止水されればすすぎを行うことができないため、それに対応すべく、次の通水となった場合の捨て水状態でかかるすすぎ未完了の補填を行っているのである。
【００３８】
前記第１の通水量は、本イオン整水器の内容量程度と一致し、これにより、電源を投入して始めて通水した場合、または、止水から所定時間経過した場合には、装置の内容量の捨て水が行われ、滞留水が一掃されて細菌等増殖していても確実に除去することができる。前記第２の通水量は、電解槽１０の内容量程度と一致し、これにより、電解槽１０のスケール等の不純物は排除することができる。前記第３の通水量は、電解槽１０の内容量程度と一致し、これにより、止水から所定の時間が経過前の通水の場合、酸性水生成モードの酸性水生成中からアルカリ水生成モードのアルカリ水生成中若しくは浄水モードの通水中に移行する場合には、電解槽１０の内容量の捨て水が行われ、滞留水として残存する酸性水を使用者が使用する水として吐水することがなく、指定されたモードの生成水のみを使用者に提供することができる。前記第４の通水量は、電解槽１０の内容量にも満たない量であり、これにより、アルカリ水生成モードのアルカリ水生成中から酸性水生成モードの酸性水生成中若しくは浄水モードの通水中に移行する場合、浄水モードの通水中から酸性水生成モードの酸性水生成中若しくはアルカリ水生成モードのアルカリ水生成中に移行する場合には、第３の通水量より少ない量の捨て水が行われるが、これは既に前述した通り、第３の通水量の捨て水を行う場合の方が第４の通水量の捨て水を行う場合の方よりも若干余裕をもった捨て水量としなければならないからである。
【００３９】
また、衛生水生成モード以外のモードから衛生水生成モードに移行する場合に、第７の通水量の捨て水を行う。この第７の通水量が第４の通水量と同程度であることとする。衛生水も酸性水と同様に、余裕をもった捨て水量とするほどの必要性に乏しいため、この通水量とした。
【００４０】
また、捨て水状態において、ランプの点灯および警告音により使用者に使用してはいけないことを喚起することもできる。別途ランプを設けることもできるが、洗浄中ランプ９６ａまたはすすぎランプ９６ｂを点灯させたり、「ＮＯ ＵＳＥ」をディスプレイ９６で表示したり、浄水選択スイッチ９９、弱酸性水選択スイッチ９２ｂ、強酸性水選択スイッチ９２ｃ、衛生水選択スイッチ９２ｄにカラーＬＥＤを配設し、生成状態を緑、捨て水状態を赤、リトライ状態を黄色と発光させることもできる。特に、カラーＬＥＤを用いる場合に、信号機に対応させて発光させることにより、万国共通に各状態を認識させることができる。
【００４１】
前記電磁弁６３は、制御回路５０の制御がおよび、開いたり閉じたりすることができるが、逆止弁６５は制御回路５０の制御は及ばず、常時、排出水路８２から電解槽水路８３方向への水の流れを止めつつ、且つ、通水時の水圧がある場合には電解槽水路８３方向への水の流れだけでなく電解槽水路８３から排出水路８２方向への水の流れを止める。前記背景技術によれば、電磁弁のみを有するもの、逆止弁のみを有するものがあったが、これらのものでは、逆電解時の水の排出を止め、且つ、通水時に水を排出水路８２方向へ通さず、さらに、浄水時に水を排水しないということを達成することができない。すなわち、電磁弁６３は、逆電解時に排出されそうになる滞留水を留め、且つ、浄水時に水を排出しないという役割を負い、逆止弁６５は、排出水路８２方向からの水を電解槽水路８３に逆流して流入することを防止し、且つ、通水時に電解槽水路８３から排出水路８２方向への水の流れを防止している。次に、本実施形態に係るイオン整水器の使用動作について説明する。ここで、使用者は、操作部９０を用いて、順次アルカリ水生成モード、浄水モード、酸性水生成モードおよび衛生水生成モードを使用する。
【００４２】
まず、使用者は、本イオン整水器の電源コードのプラグをコンセントに差し込み、電源投入可能にする。この状態は、イオン整水器にとっては、パワーオフの状態である。次に、操作部９０の電源スイッチ９３を選択し、待機状態に移行する（このとき、工場出荷のデフォルトで薬用の水が選択状態で、薬表示部９２ｄが点灯しているとする）。使用者は、電源スイッチ９３の選択と共に、健康選択スイッチ９１ａ’を選択し、水道蛇口６７をひねって通水する。健康選択スイッチ９１ａ’を選択して飲み始め表示部９２ａを点灯させると、浄水モードの待機モードからアルカリ水生成モードの待機モードに移行し、さらに連続して通水されたので、排水状態に移行することなしに、捨て水に移行する。通水時であるので、逆止弁６５は、排出水路８２方向に水を流さない。ここで、電源投入して始めての通水であるので、制御回路部５０の制御により、第１の通水量の捨て水がなされる。捨て水がなされる場合には、電磁弁６３が開くと共に、ディスプレイ９６が点滅する。捨て水が終了すると、制御回路５０の制御により、電磁弁６３を開いた状態を維持したまま、第１の電極板１１を陽極板、第２の電極板１２および第３の電極板１３を陰極板となるように電極板１１、１２、１３に電源部６１からの供給を受け電圧を印加する。そうすると、電解槽１０で水の電解が生じ、マグネシウムイオン、ナトリウムイオン、カリウムイオンおよびカルシウムイオン等は陰極板に引かれ、水酸イオン、硫酸イオン、硝酸イオンおよび塩素イオン等は陽極板に引かれ、第１の電解室１５および第４の電解室１８にはアルカリ水が生成され、第２の電解室１６および第３の電解室１７には酸性水が生成される。そして、補助電解槽２０等を通って電解水吐水口６４から第１レベルのアルカリ水が吐水される。使用者は所望の量の飲み始めに適した水を手に入れ、水道蛇口６７を閉めて通水を止めた。止水時であるので、逆止弁６５は、排出水路８２方向に水を流す。さらに、生成状態から洗浄状態に移行し、電磁弁６３を閉じ、第１の電極板１１を陰極板、第２の電極板１２および第３の電極板１３を陽極板となるように電極板１１、１２、１３に電源部６１の供給を受け電圧を制御部５０の制御により印加する。これは、すなわち、先ほどアルカリ水を生成した場合と逆に電圧を印加していることとなる。そうすると、アルカリ水生成時に陰極板として働いた第２の電極板１２および第３の電極板１３に付着したスケール等が剥がれ落ち、第１の電解室１５、第４の電解室１８の水中で浮遊状態となる。洗浄状態で所定時間電圧を印加した後、排水状態に移行し、閉じていた電磁弁６３を開き、スケール等の不純物が混入した水を排出口６２から排水する。排水状態に移行してから所定時間経過後、滞留水を全て排水した状態で待機状態に移行する。
【００４３】
次に、使用者は、操作部９０の料理選択スイッチ９１ｂ’を選択する。これにより、飲み始め表示部９２ａの点灯からミルク表示部９２ｋを点灯させ、アルカリ水生成モードの待機状態から浄水モードの待機状態に移行する。続けて、使用者は、水道蛇口６７をひねって通水した。通水時であるので、逆止弁６５は、排出水路８２方向に水を流さない。待機状態から直ぐに通水されたので、排水状態を経ることなく、捨て水状態に移行する。ここで、先ほどのアルカリ水の生成から、すなわち、止水から所定の時間が経過する前であるので、制御回路部５０の制御により、電磁弁６３が開き、第２の通水量の捨て水がなされる。捨て水がなされる場合には、電磁弁６３が開くと共に、ディスプレイ９６が点滅する。捨て水が終了すると、電磁弁６３を閉じ、電極板１１、１２、１３、１４に電圧を印加しない生成状態に移行する。そして、補助電解槽２０等を通って電解水吐水口６４から浄水が吐水される。このとき、電磁弁６３を閉じているので、排出口６２からは水は排出されない。無駄に水を排水していない点節水に繋がる。この点アルカリ水生成モードの生成状態と異なる。使用者は所望の量のミルクに適した水を手に入れ、水道蛇口６７を閉めて通水を止めた。止水時であるので、逆止弁６５は、排出水路８２方向に水を流す。さらに、生成状態から排水状態に移行し、閉じていた電磁弁６３を開き、滞留水を排出口６２から排水する。排水状態に移行してから所定時間経過後、滞留水を全て排水した状態で待機状態に移行する。
【００４４】
次に、使用者は、美容選択スイッチ９１ｃ’を選択する。これにより、ミルク表示部９２ｋの点灯から洗顔表示部９２ｌを点灯させ、浄水モードの待機状態から酸性水生成モードの待機状態に移行する。続けて、使用者は、水道蛇口６７をひねって通水した。通水時であるので、逆止弁６５は、排出水路８２方向に水を流さない。待機状態から直ぐに通水されたので、排水状態を経ることなく、捨て水状態に移行する。ここで、先ほどの浄水の生成から、すなわち、止水から所定の時間が経過したので、制御回路部５０の制御により、電磁弁６３が開き、第１の通水量の捨て水がなされる。捨て水がなされる場合には、電磁弁６３が開くと共に、ディスプレイ９６が点滅する。捨て水が終了すると、制御回路５０の制御により、電磁弁６３を開いた状態を維持したまま、第１の電極板１１を陰極板、第２の電極板１２および第３の電極板１３を陽極板となるように電極板１１、１２、１３に電源部６１からの供給を受け電圧を印加する。そうすると、電解槽１０で水の電解が生じ、マグネシウムイオン、ナトリウムイオン、カリウムイオンおよびカルシウムイオン等は陰極板に引かれ、水酸イオン、硫酸イオン、硝酸イオンおよび塩素イオン等は陽極板に引かれ、第１の電解室１５および第４の電解室１８には酸性水が生成され、第２の電解室１６および第３の電解室１７にはアルカリ水が生成される。そして、補助電解槽２０等を通って電解水吐水口６４から弱酸性水が吐水される。使用者は所望の量の洗顔に適した水を手に入れ、水道蛇口６７を閉めて通水を止めた。止水時であるので、逆止弁６５は、排出水路８２方向に水を流す。さらに、生成状態から排水状態に移行し、閉じていた電磁弁６３を開き、滞留水を排出口６２から排水する。排水状態に移行してから所定時間経過後、滞留水を全て排水した状態で待機状態に移行する。
【００４５】
次に、使用者は、除菌用の水を所定量得るべく、食塩添加筒４１に所定量に見合う食塩を入れる。そして、水路切替５２を切り替えて、流入口と食塩添加筒４１方向の流出口を流通可能状態とする。水路切替５２が行われると、強酸性検知スイッチ５３が制御回路５０に衛生水を供給すべく水路が切替られたことを出力し、制御回路５０が洗顔表示部９２ｌの点灯から除菌表示部９２ｎを点灯させ、酸性水生成モードの待機状態から衛生水生成モードの待機状態に移行する。続けて、使用者は、水道蛇口６７をひねって通水した。通水時であるので、逆止弁６５は、排出水路８２方向に水を流さない。待機状態から直ぐに通水されたので、排水状態を経ることなく、捨て水状態に移行する。ここで、先ほどの酸性水の生成から、すなわち、止水から所定の時間が経過したことに関係なく、衛生水の生成であるので、制御回路部５０の制御により、電磁弁６３が開き、第７の通水量の捨て水がなされる。捨て水がなされる場合には、電磁弁６３が開くと共に、ディスプレイ９６が点滅する。捨て水が終了すると、制御回路５０の制御により、電磁弁６３を開いた状態を維持したまま、第１の電極板１１を陰極板、第２の電極板１２および第３の電極板１３を陽極板となるように電極板１１、１２、１３に電源部６１からの供給を受け電圧を印加する。そうすると、電解槽１０で水の電解が生じ、マグネシウムイオン、ナトリウムイオン、カリウムイオンおよびカルシウムイオン等は陰極板に引かれ、水酸イオン、硫酸イオン、硝酸イオンおよび塩素イオン等は陽極板に引かれ、第１の電解室１５および第４の電解室１８には衛生水が生成され、第２の電解室１６および第３の電解室１７にはアルカリ水が生成される。そして、補助電解槽２０等を通って電解水吐水口６４から衛生水が吐水される。使用者は所望の量の除菌に適した水を手に入れ、止水することなくそのまま通水としていた。そうすると、食塩添加筒４１内の食塩の量が少なくなり、徐々に食塩の濃度が低くなってそれと共に電解槽１０内の電流値も低くなり、この電流値が所定値以下となれば制御回路５０が生成（食塩なし）状態に移行する。この生成（食塩なし）状態に移行して暫くすると、すすぎの状態に移行する。すすぎの状態により水の通り道が洗い流され、使用者が止水することで、逆止弁６５は排出水路８２方向に水を流し、排水状態に移行し、滞留水を排出口６２から排水する。排水状態に移行してから所定時間経過後、滞留水を全て排水した状態で待機状態に移行する。
【００４６】
このように本実施形態に係るイオン整水器によれば、電源を入れて初めて通水した場合、または、止水から所定の時間が経過後に通水する場合に第１の通水量の捨て水を行い、止水から所定の時間が経過前の通水の場合に第２の通水量の捨て水を行い、前記第１の通水量が第２の通水量より大きいので、水の中で増殖するバイ菌、細菌は時間経過により一気に増殖をするために所定時間経過後であればバイ菌等を排除し、所定時間内であれば、捨て水の量を減らし電解槽１０のスケール等の不純物を排除し、一定時間内の場合の生成状態への移行を迅速にし、さらには、捨て水の量が減っていること自体により節水の目的も適うことができる。また、本実施形態に係るイオン整水器によれば、酸性水を生成する酸性水生成モードの酸性水生成中からアルカリ水を生成するアルカリ水生成モードのアルカリ水生成に移行する場合、酸性水生成モードの酸性水生成中からイオン水を生成しない通水を行う浄水モードの通水中に移行する場合の少なくともいずれかの場合に、第３の通水量の捨て水を行い、アルカリ水生成モードのアルカリ水生成中から酸性水生成モードの酸性水生成中に移行する場合、アルカリ水生成モードのアルカリ水生成中から浄水モードの通水中に移行する場合、浄水モードの通水中から酸性水生成モードの酸性水生成中に移行する場合、浄水モードの通水中からアルカリ水生成モードのアルカリ水生成中に移行する場合の少なくともいずれかの場合に、第４の通水量の捨て水を行い、第３の通水量が第４の通水量より大きいので、酸性水の適用例は洗顔、洗い物などであるのに対し、アルカリ水の適用例は料理・お茶、炊飯、飲み始め等であり、直接人間が摂取するのはアルカリ性が好ましく、酸性水であるのは必ず避けなければならないからであり、すなわち、アルカリ水生成モードの生成状態で電解水吐水口から吐水されるものは必ずアルカリ水でなければならず、一部が酸性水であることは好ましくないため、若干余裕をもった捨て水量となっているのに対し、酸性水生成モードの生成状態で電解水吐水口６４から吐水されるものも酸性水でなければならないが、余裕をもった捨て水量とするほどの必要性に乏しいため、おおよそアルカリ水が吐水されない程度の捨て水量とし、必要に応じた捨て水とすることで使用者の使用可能となるまでの待ち時間を短縮すると共に、水の無駄をなくすることができる。また、本実施形態に係るイオン整水器によれば、電解作用を促進させるＮａＣｌ等を用いて前記酸性水より酸性の高い強酸性の衛生水を生成する衛生水生成モードから生成停止となった場合に、他のモードへの移行するために電解槽１０内の処理対象の水に混入する前記触媒の濃度を低減させる衛生水すすぎを行った後、次のモードに移行したときに、衛生水すすぎが完了していた場合に第５の通水量の捨て水を行い、衛生水すすぎが未完了であった場合に第６の通水量の捨て水を行い、第６の通水量が第５の通水量より大きいので、衛生水生成モードから生成停止となった場合に、衛生水すすぎを行った後、次のモードに移行したときに、衛生水すすぎが完了していた場合と、衛生水すすぎが未完了であった場合とで、捨て水量を変えたのは、衛生水は飲料用ではなく、飲料用ともなり得るアルカリ水、浄水にあっては、衛生水が混入されることは必ず避けなければならず、また、アルカリ水、浄水に限らず、酸性水であっても食塩が含まれた水を酸性水といえども使用することは好ましくないため、確実にすすぎは完了していることが望ましいが、すすぎが完了する前に、止水されたことにより排水状態等に移行した場合にあってはすすぎが未完了の状態となっており、すすぎを完了させる必要があるが、止水されればすすぎを行うことができないため、それに対応すべく、次の通水となった場合の捨て水状態でかかるすすぎ未完了の補填を行うことができる。
【００４７】
なお、本実施形態に係るイオン整水器においては、水路切替５２を手動で操作しているが、操作部９０により制御回路５０の制御によって自動で水路切替５２を操作することもでき、例えば、洗浄選択スイッチ９１ｄ’を設けて、かかるスイッチを選択することで、予め食塩添加筒４１に食塩を入れてさえおけば、衛生水供給モードに移行する構成にすることもできる。
【００４８】
また、本実施形態に係るイオン整水器においては、第４の通水量も一定量となっているが、所定時間の通水（例えば、２[秒]ないし８［秒］、好ましくは５［秒］）を捨て水としてもよく、通水中であれば、５[秒]もあれば十分な捨て水が行え、また、使用者からみれば、一定量とすれば捨て水にかかる時間が変動し、使用可能となる状態を待っている使用者としては不安定さを拭えない一方、所定時間の通水であれば、捨て水にかかる時間が変動することなく常に一定であり、使用者にとって利便性の高い構成である。特に、前述した通り、酸性水生成モードの生成状態で電解水吐水口６４から吐水されるものも酸性水でなければならないが、余裕をもった捨て水量とするほどの必要性に乏しいため、おおよそアルカリ水が吐水される程度の捨て水量である第４の通水量を排水すれば、十分である。さらに、第４の通水量がこのように所定時間の通水とできるのであれば、同様に、衛生水生成モード以外のモードの生成状態から衛生水生成モードの衛生水生成状態に移行する場合であっても、特に、通水量を所定量と決めることなく所定時間の通水（例えば、５[秒]）を捨て水としてもよく、同様な効果を生じる。理由としては、酸性水以上に衛生水は、直接口から摂取するものではなく、捨て水に余裕を持たせる必要性に乏しいからである。
【００４９】
また、本実施形態に係るイオン整水器においては、電磁弁６３のデフォルトの状態が閉じた状態であり、電源を切った場合若しくは電源プラグをコンセントから抜いたときに、たとえ電磁弁６３が開いていたとしても暫くすると閉じる構成にすることもでき、例えば、デフォルト状態にばね等で付勢する構成とすることで、電源部６１から電気の供給がなくなれば電磁弁６３を開いた状態に維持することができず、自然に閉じることができ、この構成によれば、パワーオフ状態で常に電磁弁６３が閉じた構成にすることができ、パワーオフ状態で使用者が通水した場合であっても、排出口から無駄な浄水がでることなしに使用することができる。
【００５０】
また、本実施形態に説明を付け加えると、捨て水を行う場合に、捨て水量により捨て水を行うときと、所定時間により捨て水を行うときがあるが、捨て水量により捨て水を行う場合の方が適切に捨て水を行うことができ、すなわち、所定時間により捨て水を行うとき小さな流量であれば少ない水となり、逆に大きな流量であれば大きな水となりその差が大きく安定した捨て水を行うことができない一方で使用者から見れば必ず一定の起動時間で水が使用でき、他方、捨て水量により捨て水を行うとき安定した捨て水を行える一方で起動時間が水の流量に依存し変動してしまうので、これらを本実施形態におけるイオン整水器では適切に使い分けた。なお、排出口６２および排出口付近にどの程度の捨て水が流れたかを検出できる水量センサーを設けた場合には確実な水量の捨て水を行うことができる。
【００５１】
また、本実施形態に説明を付け加えると、図３に示すようなイオン整水器にあれば、排水を行うことにより、電解槽１０、食塩添加筒４１、カルシウム添加筒４２等の水がなくなって排水されることになる。しかし、排水によりどの部分の水がなくなるかは各構成要素の配置により変わってくる。
【００５２】
本実施形態に係るイオン整水器においては、洗浄状態で電源を切った場合、次に電源を入れたとき、最後に使用したアルカリ水（例えば、第３レベルのアルカリ水）になる。これにより、誤って酸性水を飲むことを防止することができる。
【００５３】
また、本実施形態に係るイオン整水器においては、機能水を生成若しくは排出している場合には、ブザーを鳴らして注意を使用者に喚起することが好ましい。
【００５４】
また、本実施形態に係るイオン整水器においては、流量センサー５１の出力により制御回路５０が積算して積算通水量をカウントすることもでき、特に、本実施形態に係るイオン整水器においては下浄水カートリッジ３１と上浄水カートリッジ３２とがあり、２つのカートリッジを別々に積算することもでき、適切にカートリッジの交換時期を使用者に通知することができる。すなわち、下浄水カートリッジ３１には、下浄水カートリッジ３１用の積算通水量カウンタと、現在セットされているカートリッジの寿命を記憶した寿命通水量値とが用意され、積算通水量カウンタは通水される度に制御回路５０が流量センサー５１の出力により通水量が積算され、制御回路５０は任意のタイミングで寿命通水量値と比較し、交換すべき通水量を経過した場合には（寿命通水量値よりも若干小さい値で交換を知らせるのが好ましい）、下浄水カートリッジ交換時期ランプ９７ｂが点灯して、使用者の下カートリッジ交換時期にあることを知らせる。上浄水カートリッジ３２も、下浄水カートリッジ３１と同様に、積算通水量カウンタ、寿命通水量値及び上浄水カートリッジ交換時期ランプ９７ａを有してこれらが同様に動作する。なお、カートリッジは複数種類あり寿命が異なる場合があるが、これは、寿命設定上スイッチ９７ｃ（又は、寿命設定下スイッチ９７ｄ）を操作することで、寿命通水量値を変更することができる。リセットスイッチ９７ｅは、浄水カートリッジを交換した場合に、交換前の浄水カートリッジの積算通水量として積算通水量カウンタにカウントされていた値をリセットとするものである。
【００５５】
また、本実施形態に係るイオン整水器においては、洗浄状態においては常に電磁弁６３を閉じた構成であったが、洗浄状態の終盤で電磁弁６３を開く構成にすることもでき、排水状態に移行し、又は、捨て水状態に移行した後に電磁弁６３を開くのに比べ迅速に排水を完了させることができ、状態移行が迅速に行われ、結果的に使用者の待ち時間が短くすることができる。
【００５６】
また、前記待機状態のとき、電磁弁６３を閉じているが、この状態での水溢れ防止のため、０．３［L］相当以上の流量を流量センサー５１で検知した後、０．３［L］相当未満になった場合は排水状態に移行するようにすることもできる。ここで、０．３［L］は例示に過ぎない。
【００５７】
また、洗浄状態の洗浄が開始されると共に、洗浄中ランプ９６ａを点灯させ、洗浄が終了する所定時間前から電磁弁６３を開き、排水を洗浄と共に行い、洗浄完了後も排水を継続して所定時間行う場合に、継続して排水を行っているときも洗浄中ランプ９６ａを点灯させることもできる。
【００５８】
また、本実施形態に係るイオン整水器においては、常に又は所定間隔で電解槽内の電流値を検出しており、衛生水すすぎが未完了の場合で電解槽内の電流値が依然高い場合には捨て水を継続して行うこともでき、特に、衛生水モードからアルカリモードに移行する場合には直接人体が摂取する水であるため十分な捨て水がなされる必要があって、捨て水を継続して行うことによる効果が大きい。
【００５９】
（第２実施形態）
図９に、本発明に係るイオン整水器の第２実施形態を示す。図９は本実施形態に係るイオン整水器の正面図である。第２実施形態は、図９に示すように、細分化表示部一つ一つに対応した選択スイッチを設け、使用者は適用例に合った水をダイレクトに選択できるようになっており、９２ａ’はアルカリ水の飲み始めに適した水の生成を指示する選択スイッチ、９２ｂ’はアルカリ水の飲み始めに慣れてきた時に適した水の生成を指示する選択スイッチ、９２ｃ’はアルカリ水の日常飲用に適した水の生成を指示する選択スイッチ、９２ｄ’は薬の服用に適した水の生成を指示する選択スイッチ、９２ｅ’は炊飯に適した水の生成を指示する選択スイッチ、９２ｆ’は煮物に適した水の生成を指示する選択スイッチ、９２ｇ’はアク抜きに適した水の生成を指示する選択スイッチ、９２ｈ’は野菜ゆでに適した水の生成を指示する選択スイッチ、９２ｉ’は麺ゆでに適した水の生成を指示する選択スイッチ、９２ｊ’はお茶に適した水の生成を指示する選択スイッチ、９２ｋ’はミルクに適した水の生成を指示する選択スイッチ、９２ｌ’は洗顔に適した水の生成を指示する選択スイッチ、９２ｍ’は洗い物に適した水の生成を指示する選択スイッチ、９２ｎ’は除菌に適した水の生成を指示する選択スイッチ、９２ｏ’は殺菌に適した水の生成を指示する選択スイッチである。なお、上記第１実施形態と同一構成部材には同一符号を付して、その説明を省略する。
【００６０】
以上のような構成にすることで、使用者は適用例に合った表示を直接目で見つけ確認し、そのまま表示一つ一つに対応した選択スイッチを選択できるので、使用者は適用例に応じた水を容易かつ安全に得ることができる。
【００６１】
（第３実施形態）
図１０に、本発明に係るイオン整水器の第３実施形態を示す。図１０は本実施形態に係るイオン整水器の正面図である。第３実施形態は、図１０に示すように、飲み物選択スイッチ９１ｅ’、調理選択スイッチ９１ｆ’、洗浄選択スイッチ９１ｄ’の３つの用途別選択スイッチが配設され、各選択スイッチには、飲み物を連想できる、例えば、「飲み物」という文字から成る飲み物表示部９１ｅ、調理を連想できる、例えば、「調理」という文字から成る調理表示部９１ｆ、洗浄を連想できる、例えば、「洗浄」という文字から成る洗浄表示部９１ｄが選択スイッチ上に上から順に配設されている。そして、飲み物選択スイッチ９１ｅ’からは、「飲み始め」、「慣れてきたら」、「日常飲用」、「浄水」、「お茶」、「麦茶」、「コーヒー」、「ミルク」といった飲み物に関する細分化表示部（９２ａ、９２ｂ、９２ｃ、９２ｐ、９２ｊ、９２ｑ、９２ｒ、９２ｋ）および細分化表示部の表示に合った水の生成を指示する選択スイッチ（９２ａ’、９２ｂ’、９２ｃ’、９２ｐ’、９２ｊ’、９２ｑ’、９２ｒ’、９２ｋ’）が、調理選択スイッチ９１ｆ’からは、「炊飯」、「煮物」、「アク抜き」、「野菜ゆで」、「麺ゆで」といった調理に関する細分化表示部（９２ｅ、９２ｆ、９２ｇ、９２ｈ、９２ｉ）および細分化表示部の表示に合った水の生成を指示する選択スイッチ（９２ｅ’、９２ｆ’、９２ｇ’、９２ｈ’、９２ｉ’）が、洗浄選択スイッチ９１ｄ’からは、「洗い物」、「除菌」、「殺菌」、「洗顔」という細分化表示部（９２ｍ、９２ｎ、９２ｏ、９２ｌ）および細分化表示部の表示に合った水の生成を指示する選択スイッチ（９２ｍ’、９２ｎ’、９２ｏ’、９２ｌ’）が横に配設されている。なお、上記実施形態と同一構成部材には同一符号を付して、その説明を省略する。
【００６２】
「浄水」は、実質的に電解されていないきれいで中性の水を生成しようと制御中に表示される表示部であり、「麦茶」、「コーヒー」は、例えば、ペーハー（ｐＨ）値９．５程度に相当する水を生成しようと制御中に表示される表示部である。また、９２ｐ’は浄水の生成を指示する選択スイッチ、９２ｑ’は麦茶に適した水の生成を指示する選択スイッチ、９２ｒ’はコーヒーに適した水の生成を指示する選択スイッチである。なお、本実施形態においては、図１１のように一つの生成モードを複数に適用させることで構成を簡略化することができる。
【００６３】
本実施形態のイオン整水器は、先ず用途別選択スイッチから選択した後でないと細分化選択スイッチが選択できないようにするのが好ましく、以上のような構成にすることで、誤操作を減らすことができる。
【００６４】
（第４実施形態）
図１２に、本発明に係るイオン整水器の第４実施形態を示す。図１２は本実施形態に係るイオン整水器の正面図であり、飲み始めとして使う水の生成を指示している状態である。第４実施形態は、図１２に示すように、細分化表示部に合った水の生成を指示する選択手段がスライドスイッチである点が上記実施形態と異なり、使用者は該スライドスイッチによって、細分化表示部の表示に合った水を得ることができる。なお、上記実施形態と同一構成部材には同一符号を付して、その説明を省略する。
【００６５】
本実施形態は、健康に関する細分化表示部は「無」、「弱」、「中」、「強」と、洗浄に関する細分化表示部は「０」、「１０」とそれぞれボリューム表示となっている。健康に関する細分化表示部においての「無」は、実質的に電解されていないきれいで中性の水を生成しようと制御中に表示される表示部であり、「弱」は、例えば、ペーハー（ｐＨ）値８．５程度に相当する水を生成しようと制御中に表示される表示部であり、「中」は、例えば、ペーハー（ｐＨ）値９．０程度に相当する水を生成しようと制御中に表示される表示部であり、「強」は、例えば、ペーハー（ｐＨ）値９．５程度に相当する水を生成しようと制御中に表示される表示部である。また、洗浄に関する細分化表示部においての「０」は、実質的に電解されていないきれいで中性の水を生成しようと制御中に表示される表示部であり、「１０」は、例えば、ペーハー（ｐＨ）値２．５程度に相当する水を生成しようと制御中に表示される表示部である。よって、健康に関する細分化表示部においては、スライドスイッチを「強」に近づけるほどアルカリ度が強い水が、洗浄に関する細分化表示部においては、スライドスイッチを「１０」に近づけるほど酸性度が強い水が生成されるようになっている。
【００６６】
このように、細分化表示部に合った水の生成を指示する選択手段がスライドスイッチなので、使用者は適用例に合った水の選択をスムーズに行うことができるし、また、細分化表示部が「無」、「弱」、「中」、「強」や「０」、「１０」といったボリューム表示となっていても、用途別表示部は用途別に分かれているので、上記のような表示でも何も問題なく、使用者は適用例に合ったレベルの水を得ることができるのである。なお、この他に、「アルカリ１」、「アルカリ２」、「アルカリ３」といった水の性質による表示や「ｐＨ７」、「ｐＨ８」、「ｐＨ９」、「ｐH１０」といったペーハー（ｐＨ）値による表示としても良い。また、本実施形態のイオン整水器は、細分化表示部に合ったいずれかの水が選択されている時は、その他の選択スイッチは「切」から動かせないようにし、使用者に現在どの選択スイッチが有効になっているかがわからなくなることがないようにすることが好ましく、前記構成は、用途別選択スイッチおよび細分化選択スイッチを配設して、用途別選択スイッチを選択しないと選択した用途別選択スイッチに合った細分化選択スイッチを「切」から動かせないようにすることで可能となる。また、「切」を設けずに、用途別選択スイッチを選択することによって点灯するランプ部を設け、該ランプ部が点灯している有効とならないとすることでも可能である。
【００６７】
（第５実施形態）
図１３に、本発明に係るイオン整水器のスイッチレイアウトの第５実施形態を示す。図１３は本実施形態に係るイオン整水器の正面図である。第５実施形態は、図１３に示すように、４つの用途別表示部(用途別選択スイッチ)が横一列に配設されており、各用途別表示部から各用途別表示に合った細分化表示部(細分化選択スイッチ)が縦に連なって配設されている。なお、上記実施形態と同一構成部材には同一符号を付して、その説明を省略する。
【００６８】
（その他の実施形態）
前記実施形態において、用途別表示部および細分化表示部は、図１４に示すような表示の仕方もある。また、前記実施形態では、料理に関する表示として「炊飯」、「野菜ゆで」、「アク抜き」、「麺ゆで」としているが、これに限らず、例えば、「料理」と「ゆで」という用途に分け、料理に関する表示として「炊飯」、「アク抜き」と、ゆでに関する表示として「麺」、「野菜」と表示しても良い。また、前記各実施形態においては、表示部を用途別表示部、細分化表示部の二段階に分けているが、これに限らず、図１６に示すように三段階やそれ以上に分けて表示しても良い。
【００６９】
前記実施形態において、用途別表示部、用途別選択スイッチ、細分化表示部、細分化選択スイッチそれぞれの色・大きさ・形は、図示例とは限らず、一つ一つ異ならせても良いし、全て同じであっても良い。また、細分化表示部は用途別表示部と同様に文字から成るものとは限らず、絵、図、アイコン、シンボルマークなどから成るものでも良い。
【００７０】
前記実施形態において、用途別表示部、用途別選択スイッチ、細分化表示部、細分化選択スイッチは、現在有効となっている表示部や選択スイッチを点灯させたり、ランプ部を設けたりして、使用者に視認可能とすることが好ましい。ランプ部を設ける場合にはどこに設けても良いが、表示部周辺、表示部自体、選択スイッチ周辺、選択スイッチ自体に設けるのが好ましい。また、用途別表示部、用途別選択スイッチ、細分化表示部、細分化選択スイッチの配設順は任意であり、それぞれにおいて、実施形態の逆順やランダムに配設しても良い。
【００７１】
前記実施形態においては、「アルカリ２」や「酸性」といった水の性質やペーハー（ｐＨ）値といった表示を付け加えて表示しても良い。なお、これらを記載する場合は、各表示部周辺、各選択スイッチ周辺、各選択スイッチに直接記載などといったことが考えられる。
【００７２】
前記実施形態においては、洗浄状態においてのみスケールの付着を防止する逆電解を行ったが、正電解を行っている期間に所定周期毎に逆電解を挿入することもでき、正電解によってアルカリ水を生成すると共にスケールの付着の防止を実現することもできる。
【００７３】
前記実施形態においては、選択手段を押圧式スイッチまたはスライドスイッチとしているが、その他の選択手段として、トグルスイッチ、プルチェーンスイッチ、リミットスイッチ、レバースイッチ、ロッカースイッチ、ロータリースイッチ、キーボードスイッチ、キースイッチなどがある。なお、用途別選択スイッチと細分化選択スイッチの選択手段は、同じでも異ならせても良い。
【図面の簡単な説明】
【００７４】
【図１】本発明の第１実施形態に係るイオン整水器の全体斜視図
【図２】本発明の第１実施形態に係るイオン整水器の正面図
【図３】本発明の第１実施形態に係るイオン整水器の全体構成ブロック図
【図４】本発明の第１実施形態に係るイオン整水器の生成モードと生成される水の適用例との対応図
【図５】本発明の第１実施形態に係るイオン整水器のアルカリ水生成モードにおける状態変移図
【図６】本発明の第１実施形態に係るイオン整水器の浄水モードにおける状態変移図
【図７】本発明の第１実施形態に係るイオン整水器の酸性水生成モードにおける状態変移図
【図８】本発明の第１実施形態に係るイオン整水器の衛生水生成モードにおける状態変移図
【図９】本発明の第２実施形態に係るイオン整水器の正面図
【図１０】本発明の第３実施形態に係るイオン整水器の正面図
【図１１】本発明の第３実施形態に係るイオン整水器の生成モードと生成される水の適用例との対応図
【図１２】本発明の第４実施形態に係るイオン整水器の正面図
【図１３】本発明の第５実施形態に係るイオン整水器の正面図
【図１４】本発明に係るイオン整水器の表示部の表示の仕方についての説明図
【図１５】本発明に係るイオン整水器の用途別の分け方についての説明図
【図１６】本発明に係るイオン整水器の用途別の分け方についての説明図
【符号の説明】
【００７５】
１  本体ケース
１０  電解槽
１１  第１の電極板
１２  第２の電極板
１３  第３の電極板
１４  隔壁
１５  第１の電解室
１６  第２の電解室
１７  第３の電解室
１８  第４の電解室
２０  補助電解槽
２１  第１の補助電極板
２２  第２の補助電極板
２３  隔壁
２４  第１の補助電解室
２５  第２の補助電解室
３１  下浄水カートリッジ
３２  上浄水カートリッジ
３３  浄水カートリッジ
４１  食塩添加筒
４２  カルシウム添加筒
５０  制御回路
５１  流量センサー
５２  水路切替  
５３  強酸性検知スイッチ
６１  電源部
６２  排出口
６３  電磁弁
６４  電解水吐水口
６５  逆止弁
６６  水道管
６７  水道蛇口
６８  分岐栓
６９  給水ホース
７０  逆止弁
７１  電磁弁
７２  流量制限部
８１  補助電解槽水路
８２  排出水路
８３  電解槽水路
８４  上浄水カートリッジ水路
８５  流量センサー水路
８６  水路切替水路
８７  吐水水路
９０  操作部
９１ａ  健康表示部
９１ｂ  料理表示部
９１ｃ  美容表示部
９１ｄ  洗浄表示部
９１ｅ  飲み物表示部
９１ｆ  調理表示部
９１ａ’  健康選択スイッチ
９１ｂ’  料理選択スイッチ
９１ｃ’  美容選択スイッチ
９１ｄ’  洗浄選択スイッチ
９１ｅ’  飲み物選択スイッチ
９１ｆ’  調理選択スイッチ
９２ａ  飲み始め表示部
９２ｂ  慣れてきたら表示部
９２ｃ  日常飲用表示部
９２ｄ  薬表示部
９２ｅ  炊飯表示部
９２ｆ  煮物表示部
９２ｇ  アク抜き表示部
９２ｈ  野菜ゆで表示部
９２ｉ  麺ゆで表示部
９２ｊ  お茶表示部
９２ｋ  ミルク表示部
９２ｌ  洗顔表示部
９２ｍ  洗い物表示部
９２ｎ  除菌表示部
９２ｏ  殺菌表示部
９２ｐ  浄水表示部
９２ｑ  麦茶表示部
９２ｒ  コーヒー表示部
９２ａ’  飲み始め選択スイッチ
９２ｂ’  慣れてきたら選択スイッチ
９２ｃ’  日常飲用選択スイッチ
９２ｄ’  薬選択スイッチ
９２ｅ’  炊飯選択スイッチ
９２ｆ’  煮物選択スイッチ
９２ｇ’  アク抜き選択スイッチ
９２ｈ’  野菜ゆで選択スイッチ
９２ｉ’  麺ゆで選択スイッチ
９２ｊ’  お茶選択スイッチ
９２ｋ’  ミルク選択スイッチ
９２ｌ’  洗顔選択スイッチ
９２ｍ’  洗い物選択スイッチ
９２ｎ’  除菌選択スイッチ
９２ｏ’  殺菌選択スイッチ
９２ｐ’  浄水選択スイッチ
９２ｑ’  麦茶選択スイッチ
９２ｒ’  コーヒー選択スイッチ
９４  ＯＲＰ表示スイッチ
９５  通水量表示スイッチ
９６  ディスプレイ
９６ａ  洗浄中ランプ
９６ｂ  すすぎランプ
９６ｃ  温度異常ランプ
９７ａ  上浄水カートリッジ交換時期ランプ
９７ｂ  下浄水カートリッジ交換時期ランプ
９７ｃ  寿命設定上スイッチ
９７ｄ  寿命設定下スイッチ
９７ｅ  リセットスイッチ
【図１】
2006223940.tif 000003
【図２】
2006223940.tif 000004
【図３】
2006223940.tif 000005
【図４】
2006223940.tif 000006
【図５】
2006223940.tif 000007
【図６】
2006223940.tif 000008
【図７】
2006223940.tif 000009
【図８】
2006223940.tif 000010
【図９】
2006223940.tif 000011
【図１０】
2006223940.tif 000012
【図１１】
2006223940.tif 000013
【図１２】
2006223940.tif 000014
【図１３】
2006223940.tif 000015
【図１４】
2006223940.tif 000016
【図１５】
2006223940.tif 000017
【図１６】
2006223940.tif 000018